(57)【要約】【課題】ユーザが既に起床しているなど、設定時刻よりも早い時刻にアラームを鳴動する必要がない場合には、天気が雨の場合でも早い時刻にアラームを鳴動させない。【解決手段】携帯電話機１００がＡＣアダプタ１０２を介して外部電源に接続されて充電中であることが確認された場合、周囲の気圧を気圧センサ２１にて測定し、測定された気圧の変化に基づいて現在の天気が雨であると判断した場合に、ユーザが設定した設定時刻よりも早い時刻にアラームを鳴動させる。【選択図】図１
2012039228.tif 000002
【特許請求の範囲】
【請求項１】
設定時刻にアラームが鳴動するアラーム機能を有する携帯端末において、
周囲の気象状況を取得する気象状況取得手段と、
当該携帯端末が固定された状態であることを検知するための固定状態検知手段と、
前記固定状態検知手段によって当該携帯端末が固定された状態であることが検知された場合であって、前記気象状況取得手段にて取得された気象状況に基づいて現在の天気が雨であると判断した場合に、前記設定時刻よりも早い時刻にアラームを鳴動させる制御手段とを有することを特徴とする携帯端末。
【請求項２】
請求項１に記載の携帯端末において、
前記気象状況取得手段は、周囲の気圧を検知する気圧センサである携帯端末。
【請求項３】
請求項１または請求項２に記載の携帯端末において、
前記固定状態検知手段は、当該携帯端末が外部電源に接続されたことを検知する電源制御部である携帯端末。
【請求項４】
請求項１または請求項２に記載の携帯端末において、
前記固定状態検知手段は、当該携帯端末の傾きを検知する加速度センサである携帯端末。
【発明の詳細な説明】
【技術分野】
【０００１】
本発明は、携帯端末に関し、特に、アラーム機能の制御に関する。
【背景技術】
【０００２】
現在、携帯電話機は、情報交換や情報収集の面から、生活にはなくてはならないツールとなりつつある。そのため、若者やビジネスマンのみならず、主婦や年配者も携帯電話機を所有することが多くなっており、また、子供の安全性の面から子供向けのキッズ携帯といった機種も販売されている。
【０００３】
このような携帯電話機は、通話機能以外にも様々な機能が付加されており、その中の１つにアラーム機能があり、この機能を用いて携帯電話機をめざまし時計として利用することができる。携帯電話機のアラーム機能は、ユーザが設定した時刻に鳴音させる、あるいはユーザが設定した時刻から、一定間隔で鳴音させるスヌーズ機能を有している。また、このようなアラーム機能は、毎日決まった時刻にアラームが鳴動するように繰り返し設定することも可能である。
【０００４】
ここで、例えば、通勤や通学などにおいては、雨天時は車やバスを利用することにより、晴天時よりも時間がかかることが多い。そのため、設定された時刻にアラームが鳴動したとしても、通勤や通学時間に間に合わなくなってしまう場合がある。
【０００５】
そこで、雨天時においては、設定時刻よりも早い時刻にアラームを鳴動させる技術が考えられおり、特許文献１に開示されている。この特許文献１に開示された技術においては、周囲の気圧を計測することによって天気を予想し、天気が雨と予想した場合にアラームを５分早く鳴動させるものである。
【０００６】
これにより、アラームを起床時刻に合わせて設定する場合において、決まった時刻を繰り返し設定するような運用を行っている場合に、ユーザがあらかじめテレビなどから天気予報の情報を取得し、雨である場合に自分でめざましアラームの設定をその日のみ設定し直すという煩わしさから解放されることになる。
【先行技術文献】
【特許文献】
【０００７】
【特許文献１】特開２００５−２０７９０５号公報
【発明の概要】
【発明が解決しようとする課題】
【０００８】
しかしながら、特許文献１に開示されたものにおいては、ただ単に周囲の気圧を測定することによって天気を予想し、天気が雨と予想した場合にアラームを５分早く鳴動させるものであるため、携帯電話機のユーザが既に起床しており、携帯電話機を所持して行動している場合においても、天気が雨の場合に設定時刻よりも早い時刻にアラームが鳴動してしまうため、設定時刻よりも早い時刻にアラームを鳴動させる必要がない場合でもアラームが早い時刻に鳴動してしまうこととなり、それにより、既に起床しているユーザに時刻を間違って認識させてしまう虞れがある。
【０００９】
本発明は、上述したような技術が有する問題点に鑑みてなされたものであって、ユーザが既に起床しているなど、設定時刻よりも早い時刻にアラームを鳴動する必要がない場合には、天気が雨の場合でも早い時刻にアラームが鳴動することがない携帯端末を提供することを目的とする。
【課題を解決するための手段】
【００１０】
上記目的を達成するために本発明は、
設定時刻にアラームが鳴動するアラーム機能を有する携帯端末において、
周囲の気象状況を取得する気象状況取得手段と、
当該携帯端末が固定された状態であることを検知するための固定状態検知手段と、
前記固定状態検知手段によって当該携帯端末が固定された状態であることが検知された場合であって、前記気象状況取得手段にて取得された気象状況に基づいて現在の天気が雨であると判断した場合に、前記設定時刻よりも早い時刻にアラームを鳴動させる制御手段とを有することを特徴とする。
【発明の効果】
【００１１】
本発明は、以上説明したように構成されているので、携帯端末が固定された状態となっている場合のみ、現在の天気が雨の場合に設定時刻よりも早い時刻にアラームが鳴動することとなり、それにより、ユーザが既に起床しているなど、設定時刻よりも早い時刻にアラームを鳴動する必要がない場合には、天気が雨の場合でも早い時刻にアラームが鳴動することがない。
【図面の簡単な説明】
【００１２】
【図１】本発明の携帯端末の実施の一形態を示すブロック図である。
【図２】図１に示した携帯電話機におけるアラーム鳴動方法を説明するためのフローチャートである。
【発明を実施するための形態】
【００１３】
以下に、本発明の実施の形態について図面を参照して説明する。
【００１４】
図１は、本発明の携帯端末の実施の一形態を示すブロック図である。
【００１５】
本形態は図１に示すように、ＡＣアダプタ１０２を介して外部電源に接続可能に構成され、この外部電源によって充電された二次電池１０１が装着可能なものであり、ＣＰＵ１０と、ＲＯＭ１１と、ＲＡＭ（ランダム・アクセス・メモリ）１２と、無線機送受信部１３と、加速度センサ１４と、キー入力部１５と、表示制御部１６と、表示部１７と、マイク１８と、スピーカ１９と、レシーバ２０と、気圧センサ２１と、電源制御部２２と、外部端子２３とから構成された携帯電話機１００である。
【００１６】
ＣＰＵ１０は、本発明の制御手段となるものであって、バス３０を介してこれらＲＯＭ１１、ＲＡＭ１２、無線機送受信部１３、加速度センサ１４、キー入力部１５、表示制御部１６、マイク１８、スピーカ１９、レシーバ２０、気圧センサ２１及び電源制御部２２と接続されている。
【００１７】
ＲＯＭ１１は、ＣＰＵ１０が実行するための通信制御、省電力制御といった各種の制御プログラムや、天気予報などの演算プログラム、各種メロディを鳴音するための固定的なメロディデータを格納したリード・オン・メモリーである。
【００１８】
ＲＡＭ１２は、この携帯電話機１００のユーザが入力したデータや、ダウンロードしたデータを保存する用途に使用されると共に、インターネットにアクセスした際のデータを一時的に保存したり、作業用のメモリとしても利用される。
【００１９】
無線機送受信部１３は、無線によってデータの送受信を行う回路である。
【００２０】
加速度センサ１４は、本発明の固定状態検知手段となるものであって、携帯電話機１００の傾きの変化などを検知する際に用いられるセンサである。
【００２１】
キー入力部１５は、各種のキー（テンキー、機能キー、携帯電話機を閉じた時に外側に配置されるキー）より入力を受け付ける入力回路である。
【００２２】
表示制御部１６は、表示部１７の表示を制御する制御回路である。
【００２３】
表示部１７は、液晶ディスプレイなどからなり、情報を表示する。
【００２４】
マイク１８、スピーカ１９及びレシーバ２０は、通話を行う際に使用する音響部品であり、マイク１８にて送話者の音声を入力し、スピーカ１９またはレシーバ２０より相手話者の音声を出力する。
【００２５】
気圧センサ２１は、本発明の気象状況取得手段となるものであって、携帯電話機１００の周囲の気圧を検知することにより、携帯電話機１００の周囲の気象状況を取得する。
【００２６】
外部端子２３は、携帯電話機１００にＡＣアダプタ１０２を接続するためのものである。
【００２７】
電源制御部２２は、本発明の固定状態検知手段となるものであって、外部端子２３を介して外部電源から供給される電源から、携帯電話機１００の外部に装着される二次電池１０１を充電するために制御を行うと共に、携帯電話機１００の主電源である二次電池１０１からの電源供給を制御する。
【００２８】
以下に、上記のように構成された携帯電話機１００におけるアラーム鳴動方法について説明する。
【００２９】
図２は、図１に示した携帯電話機１００におけるアラーム鳴動方法を説明するためのフローチャートである。
【００３０】
図１に示した携帯電話機１００において、待ち受け状態からユーザがめざましアラームの鳴動時刻を設定する（ステップＳ１）。
【００３１】
すると、携帯電話機１００においては、携帯電話機１００が一定時間固定の場所に置かれている、すなわち、携帯電話機１００が固定された状態であるかどうかを検知して判断するために、電源制御部２２において、外部端子２３にＡＣアダプタ１０２が接続され、ＡＣアダプタ１０２を介して外部電源に接続されて充電中であるかを確認する（ステップＳ２）。
【００３２】
そして、ＡＣアダプタ１０２を介して外部電源に接続されていないことが確認された場合は、ＣＰＵ１０の制御によって、めざましアラームを、ユーザが設定した設定時刻にて鳴動させる（ステップＳ３）。
【００３３】
一方、外部端子２３にＡＣアダプタ１０２が接続され、ＡＣアダプタ１０２を介して外部電源に接続されて充電中であることが確認された場合は、ＣＰＵ１０において携帯電話機１００が固定された状態である判断し、気圧センサ２１を用いて携帯電話機１００の周囲の気圧の測定を開始する（ステップＳ４）。
【００３４】
そして、ＣＰＵ１０において、気圧センサ２１にて測定された気圧の変化量から、携帯電話機１００が置かれた地点における現在の天気を予測する（ステップＳ５）。なお、気圧の変化を用いた天気予測演算方法については、既知の技術であるためここでは省略する。
【００３５】
現在の天気を予測した結果、現在の天気が「雨」であると判断した場合（ステップＳ６）、ＣＰＵ１０の制御によって、めざましアラームをユーザが設定した設定時刻から１５分早い時刻に鳴動させる（ステップＳ７）。
【００３６】
また、現在の天気が「雨」ではないと判断した場合は、ステップＳ３に移り、めざましアラームをユーザが設定した設定時刻で鳴動させる（ステップＳ３）。
【００３７】
めざましアラーム鳴動後、ユーザが停止動作を行うことにより鳴動を停止し（ステップＳ８）、待ち受け画面へ戻る。
【００３８】
このように本形態においては、就寝前にめざましアラームの鳴動時刻を設定し、その後、携帯電話機１００が、例えば、机上のＡＣアダプタ１０２に接続された携帯電話機１００の卓上ホルダに置かれた場合に、一定時間間隔で、携帯電話機１００の周囲の気圧を測定し、その気圧の変化に基づいて翌朝の天気を予測し、その結果が雨である場合に、ユーザが設定した時刻より例えば１５分前にアラームを鳴動させるようにしたため、雨天において車の移動で時間がかかる場合などに、早めに起床することで余裕を持った行動を行うことが可能となる。
【００３９】
（他の実施の形態）
上述した実施の形態においては、携帯電話機１００が固定された状態であることを検知するために、外部端子２３にＡＣアダプタ１０２が接続され、ＡＣアダプタ１０２を介して外部電源に接続されて充電中であるかどうかを確認しているが、加速度センサ１４を用いても良い。
【００４０】
加速度センサ１４は、携帯電話機１００本体の傾きを検出し、表示部１７に表示される画面の表示を回転させるなど行う場合に用いられることが通例である。加速度センサ１４が、一定時間（例えば３０分）、携帯電話機１００の傾きが変化しなかった場合、携帯電話機１００本体が一定の場所に置かれ、固定された状態であると判断することができる。
【００４１】
また、気圧センサ２１にて測定された気圧の変化量から、携帯電話機１００が置かれた地点での現在の天気が「雨」であるかどうかではなく、例えば、「雨」、「雨のち曇」というように、さらに詳細な判断を行うことも考えられる。
【００４２】
また、現在の天気が「雨」の場合に、めざましアラームをユーザが設定した設定時刻の１５分前に鳴動させているが、この設定時刻については、あらかじめ何分前に鳴動させるかの設定手段を設け、ユーザに設定させてもよい。
【符号の説明】
【００４３】
１０    ＣＰＵ
１１    ＲＯＭ
１２    ＲＡＭ
１３    無線機送受信部
１４    加速度センサ
１５    キー入力部
１６    表示制御部
１７    表示部
１８    マイク
１９    スピーカ
２０    レシーバ
２１    気圧センサ
２２    電源制御部
２３    外部端子
１００    携帯電話機
１０１    二次電池
１０２    ＡＣアダプタ
【図１】
2012039228.tif 000003
【図２】
2012039228.tif 000004